(57)【要約】【課題】  表示先に応じて撮像センサの駆動方法を最適にすることで、表示品質を向上することを可能にした撮像装置を提供すること。【解決手段】  複数の駆動方法を有する撮像手段により生成した画像データを表示する第１表示手段と、表示フレームレートおよび解像度の異なる複数の表示モードを有し、前記撮像手段により生成した画像データを表示する第２表示手段と、前記撮像手段により生成した画像データを外付けモニタへ表示出力する表示出力手段と、を備え、前記第２表示手段を表示フレームレートが高速で解像度が低解像の表示モードで動作させ、かつ前記撮像手段を表示フレームレートが高速で解像度が低解像の読み出しモードで動作させる前記表示モードにおいて、前記第１表示手段または前記表示出力手段へ切り替える際に表示する表示先に応じて前記撮像手段の駆動方法を切り替えるか否かを変えることを特徴とする。【選択図】  図５
2017022662.tif 000002
【特許請求の範囲】
【請求項１】
撮像フレームレートおよび解像度の異なる複数の駆動方法を有し、被写体を撮像して画像データを生成する撮像手段と、
前記撮像手段により生成した画像データを表示する第１表示手段と、
表示フレームレートおよび解像度の異なる複数の表示モードを有し、前記撮像手段により生成した画像データを表示する第２表示手段と、
前記撮像手段により生成した画像データを外付けモニタへ表示出力する表示出力手段と、
前記撮像手段と前記第１表示手段と前記第２表示手段と前記表示出力手段とを制御する制御手段と、を備え、
前記第２表示手段を表示フレームレートが高速で解像度が低解像の表示モードで動作させ、かつ前記撮像手段を撮像フレームレートが高速で解像度が低解像の読み出しモードで動作させる前記表示モードにおいて、前記第１表示手段または前記表示出力手段へ切り替える際に表示する表示先に応じて前記撮像手段の駆動方法を切り替えるか否かを変えることを特徴とする撮像装置。
【請求項２】
表示先が前記第１表示手段による表示先の場合、前記撮像手段の駆動方法は切り替えないことを特徴とする請求項１記載の撮像装置。
【請求項３】
表示先が前記第３表示手段による表示先の場合、前記撮像手段の駆動方法を切り替えることを特徴とする請求項１記載の撮像装置。
【請求項４】
前記第２表示手段は
表示フレームレートが通常で解像度が高解像度の第１の表示モードと、
表示フレームレートが高速で解像度が低解像度の第２の表示モードの表示モードを有することを特徴とする請求項１記載の撮像装置。
【請求項５】
表示フレームレートおよび解像度の異なる複数の前記表示モードは、
表示フレームレートが高速で解像度が低解像度の第１の表示モードと、
表示フレームレートが通常で解像度が高解像度の第２の表示モードと、
表示フレームレートが通常より低く解像度が高解像度の第３の表示モードであることを特徴とする請求項１記載の撮像装置。
【発明の詳細な説明】
【技術分野】
【０００１】
本発明は、撮像装置に関し、特に静止画像や動画像を撮像、記録、再生する撮像装置に関するものである。
【背景技術】
【０００２】
従来の撮像装置には、撮影モードがスポーツモードの場合は撮像センサの駆動方法を高速読み出しとし、スポーツモード以外の撮影モードの場合は撮像センサの駆動方法を高精細読み出しとしている。そのように読み出し方を変えることで、撮像センサの駆動方法を撮影モードに応じて適切にしようとするものがある（特許文献１参照）。
【先行技術文献】
【特許文献】
【０００３】
【特許文献１】特開２００５−８６４９９号公報
【発明の概要】
【発明が解決しようとする課題】
【０００４】
しかしながら、表示フレームレート、表示解像度、表示先の切り替え応答性などの表示品質の観点からは、同じ撮影モードでも表示先によって最適な撮像センサの駆動方法は異なる。そのため、上述の特許文献に開示された従来技術では、より高速な表示が可能な表示先へ切り替えても、体感できる表示フレームレートは低いままとなってしまう等の問題が生じてしまう。
【０００５】
そこで、本発明の目的は、表示先に応じて撮像センサの駆動方法を最適にすることで、表示品質を向上することを可能にした撮像装置を提供することである。
【課題を解決するための手段】
【０００６】
本発明における撮像装置は、撮像フレームレートおよび解像度の異なる複数の駆動方法を有し、被写体を撮像して画像データを生成する撮像手段と、前記撮像手段により生成した画像データを表示する第１表示手段と、表示フレームレートおよび解像度の異なる複数の表示モードを有し、前記撮像手段により生成した画像データを表示する第２表示手段と、前記撮像手段により生成した画像データを外付けモニタへ表示出力する表示出力手段と、前記撮像手段と前記第１表示手段と前記第２表示手段と前記表示出力手段とを制御する制御手段と、を備え、前記第２表示手段を表示フレームレートが高速で解像度が低解像の表示モードで動作させ、かつ前記撮像手段を撮像フレームレートが高速で解像度が低解像の読み出しモードで動作させる前記表示モードにおいて、前記第１表示手段または前記表示出力手段へ切り替える際に表示する表示先に応じて前記撮像手段の駆動方法を切り替えるか否かを変えることを特徴とする。
【発明の効果】
【０００７】
本発明によれば、表示先に応じて撮像センサの駆動方法を最適にすることで、表示品質を向上することを可能にした撮像装置を提供することができる。
【図面の簡単な説明】
【０００８】
【図１】本発明を実施するための形態の構成ブロック図
【図２】ファインダー表示部５１の２つの表示モードの関係を示す図
【図３】ファインダー表示部５１の通常モードから高速モードへの表示モード切り替え処理のフローチャート
【図４】ファインダー表示部５１の高速モードから通常モードへの表示モード切り替え処理のフローチャート
【図５】各設定項目の選択内容と表示先に応じた、ファインダー表示部５１の表示モードと撮像部１３の駆動方法、および利用者が体感できるライブビューの体感表示フレームレートの関係を示す表
【図６】実施例１におけるライブビュー表示時の表示先切り替え処理のフローチャート
【図７】実施例１における撮像部１３の駆動方法と表示先および利用者の体感表示フレームレートの関係を示す図
【図８】撮影画面表示設定とファインダー高速表示設定の各設定内容および切り替え後の表示先をもとにした撮像部１３の駆動方法取得処理のフローチャート
【図９】実施例２におけるライブビュー表示時の表示先切り替え処理のフローチャート
【図１０】実施例２における撮像部１３の駆動方法と表示先および利用者の体感表示フレームレートの関係を示す図
【発明を実施するための形態】
【０００９】
以下、図面を参照して本発明の好適な実施形態を説明する。
【００１０】
図１は、本実施形態による撮像装置１００の構成例を示すブロック図である。
【００１１】
図１において、撮影レンズ１１はズームレンズ、フォーカスレンズを含むレンズ群である。シャッター１２は絞り機能を備えるシャッターである。撮像部１３は光学像を電気信号に変換するＣＣＤやＣＭＯＳ素子等で構成される撮像素子である。Ａ／Ｄ変換器１４は、アナログ信号をデジタル信号に変換する。Ａ／Ｄ変換器１４は、撮像部１３から出力されるアナログ信号をデジタル信号に変換するために用いられる。バリア１０は、撮像装置１００の、撮影レンズ１１を含む撮像系を覆うことにより、撮影レンズ１１、シャッター１２、撮像部１３を含む撮像系の汚れや破損を防止する。
【００１２】
画像処理部２０は、Ａ／Ｄ変換器１４からのデータ、又は、メモリ制御部２１からのデータに対し所定の画素補間、縮小といったリサイズ処理や色変換処理を行う。また、画像処理部２０では、撮像した画像データを用いて所定の演算処理が行われ、得られた演算結果に基づいてシステム制御部３０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器１４からの出力データは、画像処理部２０及びメモリ制御部２１を介して、或いは、メモリ制御部２１を介してメモリ４０に直接書き込まれる。メモリ４０は、撮像部１３によって得られＡ／Ｄ変換器１４によりデジタルデータに変換された画像データや、表示部５０、５１等に表示するための画像データを格納する。メモリ４０は、所定枚数の静止画像や所定時間の動画像および音声を格納するのに十分な記憶容量を備えている。
【００１４】
また、メモリ４０は画像表示用のメモリを兼ねている。背面モニタ表示部５０やファインダー（覗き窓）表示部５１はＬＣＤ等から成る画像表示部であり、メモリ４０に書き込まれた画像表示用のデータはメモリ制御部２１を介して表示部５０、５１により表示される。システム制御部３０は、プログラムに従い表示制御信号を生成し、表示部５０、５１に表示するための映像信号を生成して表示部５０、５１に出力するように撮像装置１００の各部を制御する。表示部５０、５１は出力された映像信号に基づいて映像を表示する。表示Ｉ／Ｆ５２は、テレビ等の外付けモニタ３００とのインターフェースである。外付けモニタ３００は、撮影された画像を表示出力するための表示機器である。表示部５０、５１や表示Ｉ／Ｆ５２と外付けモニタ３００を用いて撮像した画像データを逐次表示すれば、電子ファインダー機能を実現することが可能である。また、表示部５０、５１は、システム制御部３０の指示により任意に表示をＯＮ／ＯＦＦすることが可能であり、表示をＯＦＦにした場合には撮像装置１００の電力消費を大幅に低減することが出来る。
【００１５】
不揮発性メモリ４１は、電気的に消去・記録可能なメモリであり、例えばＥＥＰＲＯＭ等が用いられる。不揮発性メモリ４１には、システム制御部３０の動作用の定数、プログラム等が記憶される。ここでいう、プログラムとは、本実施形態にて後述する各種フローチャートを実行するためのプログラムのことである。
【００１６】
システム制御部３０は、撮像装置１００全体を制御する。前述した不揮発性メモリ４１に記録されたプログラムを実行することで、後述する本実施形態の各処理を実現する。３１はシステムメモリであり、ＲＡＭが用いられる。システムメモリ３１には、システム制御部３０の動作用の定数、変数、不揮発性メモリ４１から読み出したプログラム等を展開する。また、システム制御部３０はメモリ４０、表示部５０等を制御することにより表示制御も行う。
【００１７】
システムタイマー３２は各種制御に用いる時間や、内蔵された時計の時間を計測する計時部である。
【００１８】
操作部５３はシステム制御部３０に各種の動作指示を入力するための操作手段である。
【００１９】
操作部５３の各操作部材は、表示部５０等に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部５０等に表示される。利用者は、表示部５０等に表示されたメニュー画面と、上下左右の４方向ボタンやＳＥＴボタンとを用いて直感的に各種設定を行うことができる。
【００２０】
接眼検知部５４は赤外ＬＥＤ等の放射光の近接物による反射光により近接物を検知する光学式近接センサ等で構成され、利用者がファインダー表示部５１を覗いているかを検知する手段である。接眼検知部５４によりファインダー表示部５１への接眼／非接眼状態を検知することで、システム制御部３０はファインダー表示部５１の表示のＯＮ／ＯＦＦを制御することができる。
【００２１】
電源制御部６０は、電池検出回路、ＤＣ−ＤＣコンバータ、通電するブロックを切り替えるスイッチ回路等により構成され、電池の装着の有無、電池の種類、電池残量の検出を行う。また、電源制御部６０は、その検出結果及びシステム制御部３０の指示に基づいてＤＣ−ＤＣコンバータを制御し、必要な電圧を必要な期間、記録媒体２００を含む各部へ供給する。
【００２２】
電源部７０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ５５は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２３】
以下、図２〜１０を参照して、本発明の実施例の動作を説明する。
【００２４】
なお実施例では、背面モニタ表示部５０は表示フレームレートが６０ｆｐｓ、表示解像度が６４０×４８０ｐｉｘｅｌとする。外付けモニタ３００は表示フレームレートが６０ｆｐｓ、表示解像度が１９２０×１０８０ｐｉｘｅｌとする。ファインダー表示部５１は表示フレームレートと表示解像度が異なる２つの表示モードがあるものとする。図２はファインダー表示部５１の２つの表示モードの関係を示す図である。２０１は、表示フレームレートが６０ｆｐｓ、表示解像度が１０２４×７６８ｐｉｘｅｌである通常モードである。２０２は、表示フレームレートが１２０ｆｐｓ、表示解像度が１０２４×３８４ｐｉｘｅｌである高速モードである。
【００２５】
図３は、ファインダー表示部５１の通常モードから高速モードへの表示モード切り替え処理のフローチャートである。このフローチャートにおける各処理は、システム制御部３０が不揮発性メモリ４１に格納されたプログラムをシステムメモリ３１に展開して実行することにより実現される。
【００２６】
Ｓ３０１では、システム制御部３０は、通常モードから高速モードへの表示モード切り替え中に発生する可能性のある表示の乱れ等により品位を損なわないようにまず黒画像を表示する。
【００２７】
Ｓ３０２では、システム制御部３０は、映像信号生成フレームレートを６０ｆｐｓから１２０ｆｐｓへ変更し、ファインダー表示部５１へ出力する。
【００２８】
Ｓ３０３では、システム制御部３０は、ファインダー表示部５１の表示モードを通常モードから高速モードへ変更する。
【００２９】
Ｓ３０４では、システム制御部３０は、Ｓ３０１にて表示していた黒画像を解除する。
【００３０】
図４は、ファインダー表示部５１の高速モードから通常モードへの表示モード切り替え処理のフローチャートである。このフローチャートにおける各処理は、システム制御部３０が不揮発性メモリ４１に格納されたプログラムをシステムメモリ３１に展開して実行することにより実現される。
【００３１】
Ｓ４０１およびＳ４０４は、上述した図３のＳ３０１およびＳ３０４と同様の処理なので説明を省略する。
【００３２】
Ｓ４０２では、システム制御部３０は、映像信号生成フレームレートを１２０ｆｐｓから６０ｆｐｓへ変更し、ファインダー表示部５１へ出力する。
【００３３】
Ｓ４０３では、システム制御部３０は、ファインダー表示部５１の表示モードを高速モードから通常モードへ変更する。
【００３４】
また実施例では、ファインダー表示部５１の表示モードと撮像部１３の駆動方法とが異なる、利用者が選択可能な複数の動作モードを備えている。利用者が選択可能な設定項目は、撮影画面表示設定およびファインダー高速表示設定である。撮影画面表示設定は、省電力優先と高速表示優先を選択することができる。ファインダー高速表示設定は、前述の撮影画面表示設定において高速表示優先を設定時に選択可能な設定項目であり、ファインダー高速表示するとファインダー高速表示しないを選択することができる。
【００３５】
図５は、各設定項目の選択内容と表示先に応じた、ファインダー表示部５１の表示モードと撮像部１３の駆動方法、および利用者が体感できるライブビューの体感表示フレームレートの関係を示す表である。
【００３６】
例えば、撮影画面表示設定で高速表示優先を、ファインダー高速表示設定でファインダー高速表示するを選択し、表示先がファインダー表示部５１である時は、ファインダー表示部５１の表示モードは高速モード（５０１）。撮像部１３の駆動方法は撮像フレームレートが１２０ｆｐｓで低解像度（５０２）、ライブビューの体感表示フレームレートは１２０ｆｐｓである（５０３）。これにより、ファインダーで動く被写体を追う場合等の操作性を高めている。
【００３７】
撮影画面表示設定で画面表示優先を選択し表示先が外付けモニタ３００である時は、撮像部１３の駆動方法は撮像フレームレートが６０ｆｐｓで高解像度（５０４）、ライブビューの体感表示フレームレートは６０ｆｐｓである（５０５）。これにより、表示解像度の高い外付けモニタで表示解像度を損なうことがないようにして、正確なピント合わせをする場合等の操作性を高めている。
【００３８】
撮影画面表示設定で省電力優先を選択し表示先が背面モニタ表示部５０である時は、撮像部１３の駆動方法は消費電力の低い撮像フレームレートが３０ｆｐｓで解像度が５０２と５０４の間（以後、中解像度と記載する）（５０６）である。そしてライブビューの体感表示フレームレートは３０ｆｐｓである（５０７）。これにより、電力消費を抑えて撮影可能枚数を高めている。
【実施例１】
【００３９】
実施例１では、撮影画面表示設定が高速表示優先、かつファインダー高速表示するが選択された状態において、表示先がファインダー表示部５１から外付けモニタ３００へ切り替わる際にライブビュー表示用の駆動方法を変更する例を述べる。
【００４０】
図６は、実施例１におけるライブビュー表示時の表示先切り替え処理のフローチャートである。このフローチャートにおける各処理は、システム制御部３０が不揮発性メモリ４１に格納されたプログラムをシステムメモリ３１に展開して実行することにより実現される。
【００４１】
Ｓ６０１では、システム制御部３０は、撮影画面表示設定とファインダー高速表示設定の各設定内容および切り替え後の表示先をもとに撮像部１３の駆動方法を取得する。詳細は図６を使用して後述する。実施例１では、撮像フレームレートが６０ｆｐｓで高解像度の駆動方法が取得される。現在は撮像フレームレートが１２０ｆｐｓで低解像度の駆動方法であるため、表示先の切り替えによって撮像部１３の駆動方法を変更する必要があり、以降のステップで実行する。
【００４２】
Ｓ６０２では、システム制御部３０は、表示先の切り替え中に発生する可能性のある表示の乱れ等により品位を損なわないようにまず黒画像を表示する。
【００４３】
Ｓ６０３では、システム制御部３０は、画像を所定時間表示するライブビュー表示用データ（１０２４×３８４ｐｉｘｅｌ）の生成を停止する。
【００４４】
Ｓ６０４では、システム制御部３０は、撮像部１３の駆動を停止する。
【００４５】
Ｓ６０５では、システム制御部３０は、ファインダー表示部５１の駆動を停止する。
【００４６】
Ｓ６０６では、システム制御部３０は、ファインダー表示部５１へ出力していた映像信号の生成を停止する。
【００４７】
Ｓ６０７では、システム制御部３０は、外付けモニタ３００へ出力するための映像信号の生成を開始し、表示Ｉ／Ｆ５２を介して外付けモニタ３００へ出力する。
【００４８】
Ｓ６０８では、システム制御部３０は、Ｓ５０１で取得した撮像フレームレートが６０ｆｐｓで高解像度の駆動方法により撮像部１３を駆動する。
【００４９】
Ｓ６０９では、システム制御部３０は、ライブビュー表示用データ（１９２０×１０８０ｐｉｘｅｌ）の生成を開始する。
【００５０】
Ｓ６１０では、システム制御部３０は、Ｓ６０２にて表示していた黒画像を解除し、本処理を終了する。
【００５１】
図７は、実施例１における撮像部１３の駆動方法と表示先および利用者の体感表示フレームレートの関係を示す図である。
【００５２】
７０１は撮像部１３の駆動方法、７０２はファインダー表示部５１への映像信号生成フレームレート、７０３は外付けモニタ３００への映像信号生成フレームレート、７０４は利用者の体感表示フレームレートである。７０５は表示先（ファインダー表示部５１または外付けモニタ３００）である。また７０６は、利用者が表示先の切り替え操作を行ってから切り替え後の表示先でライブビューが表示されるまでの間隔である。
【００５３】
図８は、撮影画面表示設定とファインダー高速表示設定の各設定内容および切り替え後の表示先をもとにした撮像部１３の駆動方法取得処理のフローチャートである。このフローチャートにおける各処理は、システム制御部３０が不揮発性メモリ４１に格納されたプログラムをシステムメモリ３１に展開して実行することにより実現される。
【００５４】
Ｓ８０１では、システム制御部３０は、図６のライブビュー表示時の表示先切り替え処理において切り替え後の表示先を判定する。切り替え後の表示先が背面モニタ表示部５０またはファインダー表示部５１の場合はＳ８０２へ進む。切り替え後の表示先が外付けモニタ３００の場合はＳ８０７へ進む。
【００５５】
Ｓ８０２では、システム制御部３０は、利用者が選択可能な設定項目である撮影画面表示設定を判定する。撮影画面表示設定が高速表示優先の場合はＳ８０３へ進む。撮影画面表示設定が省電力優先の場合はＳ８０６へ進み、撮像部１３の駆動方法は、撮像フレームレートが３０ｆｐｓで中解像度のモードが取得され処理を終了する。
【００５６】
Ｓ８０３では、システム制御部３０は、利用者が選択可能な設定項目であるファインダー高速表示設定を判定する。ファインダー高速表示設定をする場合はＳ８０４へ進み、撮像部１３の駆動方法は、撮像フレームレートが１２０ｆｐｓで低解像度のモードが取得され処理を終了する。ファインダー高速表示設定がしないの場合はＳ８０５へ進み、撮像部１３の駆動方法は、撮像フレームレートが６０ｆｐｓで高解像度のモードが取得され処理を終了する。
【００５７】
Ｓ８０７では、システム制御部３０は、利用者が選択可能な設定項目である撮影画面表示設定を判定する。撮影画面表示設定が高速表示優先の場合はＳ８０８へ進む。撮影画面表示設定が省電力優先の場合はＳ８１１へ進み、撮像部１３の駆動方法は、撮像フレームレートが３０ｆｐｓで中解像度のモードが取得され処理を終了する。
【００５８】
Ｓ８０８では、システム制御部３０は、利用者が選択可能な設定項目であるファインダー高速表示設定を判定する。ファインダー高速表示設定がするの場合はＳ８０９へ進み、撮像部１３の駆動方法は、撮像フレームレートが６０ｆｐｓで高解像度のモードが取得され処理を終了する。ファインダー高速表示設定がしないの場合はＳ８１０へ進み、撮像部１３の駆動方法は、撮像フレームレートが６０ｆｐｓで高解像度のモードが取得され処理を終了する。
【００５９】
以上のように、実施例１によれば、ファインダー表示部５１に表示中は、動く被写体を追う場合等の操作性を高めながら、外付けモニタ表示中は、外付けモニタの高解像度を活かした表示解像度の高いライブビューを表示する。そうすることで正確なピント合わせをする場合等の操作性も高めることが可能となる。
【実施例２】
【００６０】
実施例２では、撮影画面表示設定が高速表示優先、かつファインダー高速表示が選択された状態において、表示先がファインダー表示部５１から背面モニタ表示部５０へ切り替わる際にはライブビュー表示用の駆動方法を変更せずに表示先を切り替える例を述べる。
【００６１】
図９は、実施例２におけるライブビュー表示時の表示先切り替え処理のフローチャートである。このフローチャートにおける各処理は、システム制御部３０が不揮発性メモリ４１に格納されたプログラムをシステムメモリ３１に展開して実行することにより実現される。
【００６２】
Ｓ９０１では、システム制御部３０は、撮影画面表示設定とファインダー高速表示設定の各設定内容および切り替え後の表示先をもとに撮像部１３の駆動方法を取得する。実施例２では、撮像フレームレートが１２０ｆｐｓで低解像度の駆動方法が取得される。現在も撮像フレームレートが１２０ｆｐｓで低解像度の同じ駆動方法であるため、表示先の切り替えによって撮像部１３の駆動方法を変更する必要はなく、以降のステップでは撮像部１３の駆動方法は変更しない。
【００６３】
Ｓ９０２では、システム制御部３０は、表示先の切り替え中に発生する可能性のある表示の乱れ等により品位を損なわないようにまず黒画像を表示する。
【００６４】
Ｓ９０３では、システム制御部３０は、ファインダー表示部５１の駆動を停止する。
【００６５】
Ｓ９０４では、システム制御部３０は、ファインダー表示部５１へ出力していた映像信号の生成を停止する。
【００６６】
Ｓ９０５では、システム制御部３０は、ライブビュー表示用データの生成サイズをファインダー表示部５１用のサイズ（１０２４ｘ３８４ｐｉｘｅｌ）から背面モニタ表示部５０用のサイズ（６４０×４８０ｐｉｘｅｌ）へ変更する。
【００６７】
Ｓ９０６では、システム制御部３０は、背面モニタ表示部５０へ出力するための映像信号の生成を開始し、背面モニタ表示部５０へ出力する。
【００６８】
Ｓ９０７では、システム制御部３０は、Ｓ９０７にて表示していた黒画像を解除し、本処理を終了する。
【００６９】
図１０は、実施例１における撮像部１３の駆動方法と表示先および利用者の体感表示フレームレートの関係を示す図である。
【００７０】
１００１は撮像部１３の駆動方法、１００２はファインダー表示部５１への映像信号生成フレームレート、１００３は背面モニタ表示部５０への映像信号生成フレームレート、１００４は利用者の体感表示フレームレートである。１００５は表示先（ファインダー表示部５１または背面モニタ表示部５０）である。また１００６は、利用者が表示先の切り替え操作を行ってから切り替え後の表示先でライブビューが表示されるまでの間隔である。
【００７１】
以上のように、本実施例によれば、ファインダー表示部５１と背面モニタ表示部５０との切り替えにおいては撮像部１３の駆動方法の切り替えを実施しないことで、表示先の切り替え処理時間を短縮し、表示先切り替え操作の応答性を高めることが可能となる。
【００７２】
本発明は、以下の処理を実行することによっても実現される。即ち、上述した実施形態の機能を実現するソフトウェア（プログラム）をネットワーク又は各種記憶媒体を介してシステム或いは装置に供給する。そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2017022662.tif 000003
【図２】
2017022662.tif 000004
【図３】
2017022662.tif 000005
【図４】
2017022662.tif 000006
【図５】
2017022662.tif 000007
【図６】
2017022662.tif 000008
【図７】
2017022662.tif 000009
【図８】
2017022662.tif 000010
【図９】
2017022662.tif 000011
【図１０】
2017022662.tif 000012